(57)【要約】【課題】筆記具の先端部の損傷が防止されると共に、筆記具が簡単に外れ難いクリップを提供する。【解決手段】クリップ１の両挟持部２に、挟持口部Ｋで筆記具Ｈを縦方向に挟んだ際に当該筆記具Ｈの外周面ｇを当接させる挟持凹部７を形成し、更に同筆記具Ｈの先端部ｓを挿入可能な開口部８を形成する。【選択図】図３
0003137407.tif 000002
【実用新案登録請求の範囲】
【請求項１】
挟持口部を構成する対抗配置された一対の挟持部と、前記挟持口部で対象物を挟むことができるように前記一対の挟持部にばね力を付与する本体部と、を備えるクリップにおいて、
前記一対の挟持部の両方又は片方に、前記挟持口部で柱状の対象物をその片端部が前記本体部へ向かう方向で挟んだ際に当該柱状の対象物の外周面を当接させる挟持凹部が形成されていると共に、前記本体部に当該柱状の対象物を挿入可能な開口部が形成されていることを特徴とするクリップ。
【請求項２】
前記柱状の対象物は先窄み状の端部を有する筆記具であり、前記開口部は当該筆記具の先窄み状の端部のみを挿入可能な大きさで形成されている請求項１に記載のクリップ。
【請求項３】
前記本体部は、前記開口部に前記筆記具の先窄み状の端部が挿入されたときに当該端部が露出しないように構成されている請求項２に記載のクリップ。
【請求項４】
前記挟持凹部は、前記一対の挟持部の両方又は片方に複数形成され、前記開口部は、前記本体部における当該各挟持凹部と対応する位置毎に形成されている請求項１〜３のいずれかに記載のクリップ。
【請求項５】
前記本体部は、前記一対の挟持部に一体成形されて使用者が摘めるように構成された二つの摘み部材と、当該二つの摘み部材にばね力を付与する板ばね部材と、を備える請求項１〜４のいずれかに記載のクリップ。
【請求項６】
前記挟持凹部及び／又は前記開口部には、柱状の対象物の滑りを止める滑止部材が設けられている請求項１〜５のいずれかに記載のクリップ。
【考案の詳細な説明】
【技術分野】
【０００１】
本考案はクリップ、特に筆記具を保持することのできるクリップに関する。
【背景技術】
【０００２】
紙等を挟む一般的なクリップとして、挟持口部を構成する対抗配置された一対の挟持部と、挟持口部を閉じたときに対象物を挟むことができるようにばね力を付与する本体部とを備えたものがある。
【考案の開示】
【考案が解決しようとする課題】
【０００３】
クリップの使用態様として、筆記具を挟んで使用するということが考えられる。一般的な上記のクリップに縦方向（筆記具の端部がクリップに向かう方向）で筆記具を挟むと先端部が本体部に当たり、先端部が損傷してしまう。また、その際、挟持口部に挟まれた筆記具は、横方向（前記縦方向に垂直な方向）に簡単にずれてしまう。また、このクリップに筆記具を横方向に挟んだ場合、筆記具が当該クリップの挟持力ではじかれてしまう場合が多い。このように、一般的なクリップに筆記具を挟むと、先端部が損傷することや、筆記具が簡単に外れてしまうという問題がある。
【０００４】
本考案は、上記従来技術の問題点に鑑み、筆記具の先端部の損傷が防止されると共に、筆記具が簡単に外れ難いクリップを提供することを目的とする。
【課題を解決するための手段】
【０００５】
上記目的を達成するため、本考案は次の技術的手段を講じた。
【０００６】
すなわち、本考案のクリップは、挟持口部を構成する対抗配置された一対の挟持部と、前記挟持口部で対象物を挟むことができるように前記一対の挟持部にばね力を付与する本体部と、を備えるクリップにおいて、前記一対の挟持部の両方又は片方に、前記挟持口部で柱状の対象物をその片端部が前記本体部へ向かう方向で挟んだ際に当該柱状の対象物の外周面を当接させる挟持凹部が形成されていると共に、前記本体部に当該柱状の対象物を挿入可能な開口部が形成されていることを特徴とする。
【０００７】
上記本考案によれば、一対の挟持部の両方又は片方に、挟持口部で柱状の対象物をその片端部が本体部へ向かう方向に挟んだ際に当該対象物の外周面を当接させる挟持凹部が形成されているので、挟持口部に挟まれた例えば筆記具は、横方向にずれ難く簡単に外れてしまうことがない。また、本体部に柱状の対象物を挿入可能な開口部が形成されているので、例えば筆記具を縦方向で挟んだ際に先端部の損傷を防止することができる。
【０００８】
また、前記柱状の対象物は先窄み状の端部を有する筆記具であり、前記開口部は当該筆記具の先窄み状の端部のみを挿入可能な大きさで形成されていることが好ましい。
【０００９】
この場合、縦方向で挟まれた筆記具をずれ難くすることができる。
【００１０】
また、前記本体部は、前記開口部に前記筆記具の先窄み状の端部が挿入されたときに当該端部が露出しないように構成されていることが好ましい。
【００１１】
この場合、筆記具がクリップに挟まれた状態で、当該筆記具の先窄み状の端部が他の部材に当たって損傷してしまうことを防止することができる。
【００１２】
また、前記挟持凹部は、前記一対の挟持部の両方又は片方に複数形成され、前記開口部は、前記本体部における当該各挟持凹部と対応する位置毎に形成されていることが好ましい。
【００１３】
この場合、複数の筆記具を挟んだ際に、これら筆記具は横方向にずれ難く簡単に外れてしまうことがなく、それらの先端部が損傷され難い。
【００１４】
また、前記本体部は、前記各挟持部に一体成形され使用者が摘むべく構成された二つの摘み部材と、当該二つの摘み部材にばね力を付与する板ばね部材と、を備えるものとすることができる。
【００１５】
この場合、二つの摘み部材により、クリップの挟持操作をし易くすることができる。
【００１６】
更に、前記挟持凹部及び／又は前記開口部には、筆記具の滑りを止める滑止部材が設けられていることが好ましい。
【００１７】
この場合、クリップに挟まれた筆記具を非常に外れ難くすることができる。
【考案の効果】
【００１８】
上記の通り、本考案によれば、柱状の対象物を挟持凹部で挟みつつ同対象物を開口部に挿入させることにより、例えば筆記具を縦方向に挟んだ際にその先端部の損傷が防止されると共に当該筆記具を外れ難くすることができる。
【考案を実施するための最良の形態】
【００１９】
以下、図面を参照しつつ、本考案の実施形態を説明する。図１は本考案に係るクリップの一実施形態（第一実施形態）を示している。本実施形態のクリップ１は、挟持口部Ｋを構成する対抗配置された一対の挟持部２と、これら一対の挟持部２が設けられた本体部３とを備えている。また、本体部３は、対抗配置された一対の摘み部４と、これら摘み部４、４間にわたる板ばね部材５とを備えている。なお、以下の説明において、図１の矢印Ａ方向を縦方向といい、この矢印Ａ方向と直行する矢印Ｂ方向を横方向という。
【００２０】
摘み部４と挟持部２とは一体成形されてクリップ片６を構成している。このクリップ片６は、全体として平面視略矩形状に形成されている。板ばね部材５は、挟持口部Ｋを閉じたときに対象物を挟むことができるように二つのクリップ片６にばね力を付与している。この板ばね部材５は、弾性を有する略矩形状の鋼材を湾曲させて形成されている。また、板ばね部材５の両端部には、クリップ片６にはめ込まれて当接している平面状の当接部５ａが形成されている。クリップ片６のうち摘み部４には、側面視で三角形状の支持部４ａが形成されている。また、摘み部４には、板ばね部材５を組み付けるための組付開口４ｂ、及び板ばね部材５の当接部５ａを引っ掛ける段差部４ｃが形成されている。更に、摘み部４には、使用者が摘んだ際に指が滑らないようにするための横長の突部４ｄが形成されている。
【００２１】
支持部４ａの頂部が互いに合わさると共に、開口４ｂに板ばね部材５が導入されている。そして、板ばね部材５の両当接部５ａが段差部４ｃに当接されている。クリップ片６のうち挟持部２の端部ｔには、平面状の当接面２ａが形成されており、対抗する当接面２ａが互いに当接されることで挟持口部Ｋが構成されている。
【００２２】
以上の構成により、挟持部２及びこれと一体となっている摘み部４からなるクリップ片６に、板ばね部材５によりばね力が付与され、クリップ１は挟持部２で構成された挟持口部Ｋで対象物を挟むことができるようになっている。
【００２３】
図２にも示すように、両挟持部２の端部ｔには湾曲状の挟持凹部７が形成されている。両挟持凹部７が互いに合わさることで正面視略楕円形状の孔が構成されている。図３に示すように、挟持凹部７は、柱状の対象物である筆記具Ｈをクリップ１に縦方向に挟んだ際に、同筆記具Ｈの外周面ｇを挟み込むようになっている。
【００２４】
更に、図２に示すように両支持部４ａには湾曲形状の凹部４ｅが形成されている。両支持部５ａが合わさることで両凹部４ｅにより略円形状の開口部８が構成されている。この開口部８は、挟持口部Ｋに筆記具Ｈを縦方向に挟んだ際に、同筆記具Ｈの先端部ｓが挿入されてフィットされるようになっている。
この開口部８は、両挟持凹部７で構成される楕円の孔よりも小さく構成されている。従って、図３に示すように開口部８には、筆記具Ｈを縦方向に突き当てた状態で先端部ｓのみが挿入可能となっている。また、クリップ１に筆記具Ｈが挟まれた状態で、筆記具Ｈの先端部ｓは摘み部４に覆われて外側へ露出しないようになっている。
【００２５】
本実施形態のクリップ１によれば、挟持部２の端部ｔに、筆記具Ｈを縦方向に挟んだ際にその外周面ｇを当接させる挟持凹部７が形成されているので、縦方向に挟まれた筆記具Ｈは横方向にずれ難くなる。これにより、筆記具Ｈが簡単に外れてしまうのを防止することができる。また、摘み部４の支持部４ａに、筆記具Ｈの先端部ｓのみを挿入可能な開口部８が構成されているので、縦方向で挟まれた筆記具Ｈの先端部ｓはクリップ片６には当たらず、同先端部ｓを損傷し難くすることができる。更に、クリップ１に筆記具Ｈが縦方向に挟まれた状態で、その先端部ｓは外側へ露出しないので、先端部ｓが他の部材に当たって損傷してしまうことを防止することができる。
【００２６】
開口部８には筆記具Ｈの先端部ｓのみが挿入可能となっているので、先端部ｓが開口部８に挿入された状態で筆記具Ｈを挿入方向へ押しても同筆記具Ｈはそれ以上動かない。従って、筆記具Ｈを縦方向に動き難くすることができる。クリップ１には両摘み部４が設けられているので、クリップ１の挟持操作をし易くすることができる。
【００２７】
図４は、本考案に係るクリップの第二実施形態を示している。本実施形態のクリップ１０が上記第一実施形態と異なる点は、複数の挟持凹部及び複数の開口部が設けられている点である。なお、第一実施形態と共通する点はその説明を省略する。挟持部１１及び摘み部１２からなるクリップ片１３は、第一実施形態のクリップ片６より全体的に大きい寸法で形成されており、特に挟持部１１の端部ｔの横方向長さは第一実施形態の約二倍程度となっている。
【００２８】
挟持部１１の端部ｔには、第一挟持凹部１４とこの第一挟持凹部１４よりも小さい第二挟持凹部１５とが形成されている。第一挟持凹部１４は上記第一実施形態の挟持凹部７と略同じ大きさで形成されており、汎用の筆記具を挟めるようになっている。第二挟持凹部１５は第一挟持凹部１４の約半分程度の大きさで形成されており、直径のより小さい筆記具を挟めるようになっている。
【００２９】
また、摘み部１２の支持部１２ａには、第一挟持凹部１４と対応する位置に第一開口部１６が構成されている。更に、同支持部１２ａには、第二挟持凹部１５と対応する位置に第二開口部１７が構成されている。第一開口部１６は、上記第一実施形態の開口部８と略同じ大きさで形成されており、当該第一開口部１６には第一挟持凹部１４に挟まれた筆記具の先端部が挿入される。第二開口部１７は、第一開口部１６よりも小さく形成されている。この第二開口部１７には、第二挟持凹部１５に挟まれた筆記具の先端部が挿入される。また、第一、第二挟持凹部１４、１５及び第一、第二開口部１６，１７には、筆記具の滑りを止めるゴム製の滑止部材１８が設けられている。これにより、クリップ１０に挟まれた筆記具が非常に外れ難くなる。
【００３０】
本実施形態のクリップ１０には、第一、第二挟持凹部１４、１５とこれら第一、第二挟持凹部１４，１５に対応する第一、第二開口部１６，１７とが設けられているので、異なる直径を有する二本の筆記具を縦方向に挟んだ場合でも、それら両筆記具の先端部が損傷され難く、かつ当該筆記具を簡単に外れないようにすることができる。
【００３１】
なお、上記で開示された実施形態はすべて例示であって制限的なものではない。例えば、挟持部の端部の片側のみに挟持凹部を形成してもよく、同端部に挟持凹部を三個或いはそれ以上形成してもよく、挟持凹部及び開口部の形状を変更してもよい。挟持凹部の数を増やした場合、挟持凹部の数に対応する開口部を形成すればよい。また、挟持凹部の形状を変更する具体例としては、例えば内方へ向かう多数の突起を形成して全体として星形とすればよい。更に、開口部の形状を変更する具体例としては、挟持凹部と同様に例えば、内方へ向かう多数の突起を形成して全体として星形とすればよい。このように、挟持凹部及び開口部の形状を星形とした場合には、楕円形状や円形状とした場合よりも筆記具を確実に保持することができる。また、挟持凹部や開口部はあらゆるクリップに設けることができ、例えば、紐が付いているクリップや、手帳等に引っ掛けるための装着部が設けられたクリップに設けることができる。
【００３２】
また、図５に示すように、開口部２０を筆記具２１が貫通できるような大きさに形成することで、同筆記具２１をクリップ２２に貫通させてもよい。なお、同図のクリップ２２には、メモ版２３やノート、画版等の薄状のものを挟むための装着部が本発明における挟持部とは別に形成されている。当該クリップ２２をこのようにして使用することで、メモ版２３等に筆記具２１を安定して止めておくことができる。
【００３３】
更に、図６に示すように、クリップ２４に紐２５を取り付けて、筆記具２６をぶら下げるようにしてもよい。筆記具２６は縦方向でクリップ２４に挟まれているため安定した状態でぶら下げておくことができる。
【産業上の利用可能性】
【００３４】
本考案は、例えばクリップに適用することができる。
【図面の簡単な説明】
【００３５】
【図１】本実施形態のクリップの斜視図である。
【図２】クリップの正面図である。
【図３】クリップに筆記具が挟まれた状態の斜視図である。
【図４】第二実施形態に係るクリップである。
【図５】クリップの使用態様を説明する図である。
【図６】クリップの他の使用態様を説明する図である。
【符号の説明】
【００３６】
１    クリップ
２    挟持部
３    本体部
４    摘み部
４ａ  支持部
４ｅ  凹部
５    板ばね部材
６    クリップ片
７    挟持凹部
８    開口部
１８  滑止部材
ｔ    端部
Ｋ    挟持口部
Ｈ    筆記具
ｓ    先端部
【図１】
0003137407.tif 000003
【図２】
0003137407.tif 000004
【図３】
0003137407.tif 000005
【図４】
0003137407.tif 000006
【図５】
0003137407.tif 000007
【図６】
0003137407.tif 000008